(57)【要約】【課題】  ロックノブとプッシュノブとの間の操作前の隙間を、ロックノブがロック操作されたときにプッシュノブに当たってしまうようになることなく、小さくできるようにする。【解決手段】  ロックノブ３を、これの一部がロック操作によりプッシュノブ２側に変位する形態で、該プッシュノブ２に近接させて設けたものにおいて、ロックノブ３のロック操作時における変位をプッシュノブ２に伝えて該プッシュノブ２をプッシュ操作方向に押込む押込み手段３１，３２を設けることにより、ロックノブ３をロック操作したときにはプッシュノブ２がプッシュ操作方向に押込まれ、その結果、ロックノブ３とプッシュノブ２との間の隙間が従来のＧ２からＧ１１へと大きくなる。よって、操作前にロックノブ３とプッシュノブ２との間の隙間Ｇ１を大きく確保することなく、ロックノブ３がプッシュノブ２に当たってしまうようになることを回避できる。【選択図】  図１
2005353456.tif 000002
【特許請求の範囲】
【請求項１】
ロックノブと、プッシュノブとを有すると共に、そのロックノブのロック操作に応動するロックスイッチ本体、及びプッシュノブのプッシュ操作に応動するプッシュスイッチ本体とを有し、前記ロックノブを、これの一部が前記ロック操作によりプッシュノブ側に変位する形態で、該プッシュノブに近接させて設けたものにおいて、
前記ロックノブのロック操作時における変位をプッシュノブに伝えて該プッシュノブをプッシュ操作方向に押込む押込み手段を設けたことを特徴とするスイッチ装置。
【発明の詳細な説明】
【技術分野】
【０００１】
本発明は、ロックノブとプッシュノブとを有するスイッチ装置に関する。
【背景技術】
【０００２】
従来より、例えば車両用、特には自動車用のスイッチ装置においては、例えばステアリングホイールに設けられるステアリングスイッチに、ロックノブとプッシュノブとを有するものが供されている。
図４及び図５は、そのものの従来構造を一例で示しており、中でも正面図で表した図４に示すように、ボデー１に１つのプッシュノブ２が配置され、その左右両側に２つのロックノブ３が近接して配置されている。
【０００３】
プッシュノブ２は、前後（図４の紙面と直交する方向、図５の矢印Ａで示す方向）にプッシュ操作可能であり、図５に示すボデー１の例えば筒状を成すガイド部４でガイドされるようになっている。ロックノブ３は、ボデー１に軸部５で支承され、前後（図４の紙面と直交する方向、図５の矢印Ｂで示す方向）にロック（揺動）操作可能となっている。
【０００４】
そして、プッシュノブ２のプッシュ操作方向先と、ロックノブ３のロック操作方向先には、それぞれ、プッシュスイッチ本体６と、ロックスイッチ本体７，８とが設けられている。これらは、いずれも薄形スイッチから成っており、詳細には、ゴムなど弾性材から成る弾性シート９に山形薄肉の可撓部１０，１１，１２で支持して設けられたコンタクトホルダ部１３，１４，１５がそれぞれ先端部に有する可動コンタクト１６，１７，１８と、これらに対向して回路基板１９の対向面に設けられた固定コンタクト２０，２１，２２から成っており、コンタクトホルダ部１３の基端部にプッシュノブ２の先端部が当接され、コンタクトホルダ部１４，１５の各基端部にロックノブ３の裏面に設けられた押圧部２３，２４の各先端部が当接されている。
【０００５】
この構成で、プッシュノブ２をプッシュ操作すると、コンタクトホルダ部１３が押込まれて可動コンタクト１６を固定コンタクト２０に接触させ、要するにプッシュスイッチ本体６が応動する。ロックノブ３をロック操作すると、押圧部２３側のロック操作で、該押圧部２３によりコンタクトホルダ部１４が押込まれて可動コンタクト１７を固定コンタクト２１に接触させ、要するにプッシュスイッチ本体７が応動する。又、押圧部２４側のロック操作では、該押圧部２４によりコンタクトホルダ部１５が押込まれて可動コンタクト１８を固定コンタクト２２に接触させ、要するにプッシュスイッチ本体８が応動する。
【発明の開示】
【発明が解決しようとする課題】
【０００６】
上記従来のものの場合、ロックノブ３をロック操作すると、その一部がプッシュノブ２側に変位する。図６はその状態を、ロックノブ３の押圧部２３側をロック操作した例で表しており、この場合、ロックノブ３の押圧部２３側がロック操作されたことで、ロックノブ３の押圧部２４側がプッシュノブ２側に変位し、これらの間の隙間がＧ１からＧ２へと小さくなっている。なお、図示しないが、ロックノブ３の押圧部２４側がロック操作されたときには、ロックノブ３の押圧部２３側がプッシュノブ２側に変位し、これらの間の隙間がＧ１からＧ２へと小さくなる。
【０００７】
このため、不可避的な組立て誤差等によっては、ロックノブ３がプッシュノブ２に当たってしまうようになることが考えられ、そのようになれば、プッシュスイッチ本体７，８の操作が充分にできなくなってしまう。よって、ロックノブ３とプッシュノブ２との間の操作前の隙間Ｇ１を大きく確保する必要が生じ、その結果、見栄えが良くなくなる等の問題を呈していた。
【０００８】
本発明は上述の事情に鑑みてなされたものであり、従ってその目的は、ロックノブとプッシュノブとの間の操作前の隙間を、ロックノブがロック操作されたときにプッシュノブに当たってしまうようになることなく、小さくすることのできるスイッチ装置を提供するにある。
【課題を解決するための手段】
【０００９】
上記目的を達成するために、本発明のスイッチ装置は、ロックノブと、プッシュノブとを有すると共に、そのロックノブのロック操作に応動するロックスイッチ本体、及びプッシュノブのプッシュ操作に応動するプッシュスイッチ本体とを有し、前記ロックノブを、これの一部が前記ロック操作によりプッシュノブ側に変位する形態で、該プッシュノブに近接させて設けたものにおいて、前記ロックノブのロック操作時における変位をプッシュノブに伝えて該プッシュノブをプッシュ操作方向に押込む押込み手段を設けたことを特徴とする。
【発明の効果】
【００１０】
上記手段によれば、ロックノブをロック操作したときには、押込み手段を介してプッシュノブがプッシュ操作方向に押込まれ、その結果、ロックノブとプッシュノブとの間の隙間が大きくなる。よって、操作前にロックノブとプッシュノブとの間の隙間を大きく確保することなく、ロックノブがプッシュノブに当たってしまうようになることを回避することができる。
【発明を実施するための最良の形態】
【００１１】
以下、本発明の一実施例（一実施形態）につき、図１ないし図３を参照して説明する。
まず、図１ないし図３においては、先の図４ないし図６と同一の部分に同一の符号を付して示しており、従って、それら同一部分の説明は省略し、異なる部分についてのみ述べる。すなわち、ロックノブ３とプッシュノブ２との間には、押込み手段３１，３２を設けている。この押込み手段３１，３２は、詳細には、この場合、ロックノブ３の裏面の、プッシュノブ２に近い両側部分（押圧部２３，２４と並び合う位置）に設けた第２の押込み部としての凸部３３，３４と、これらの先方（ロックノブ３のロック操作方向先）に位置してプッシュノブ２の中間部に設けた押込み受け部としての張出部３５，３６とから成っており、それらが近接している。
【００１２】
この構成では、ロックノブ３をロック操作すれば、押圧部２３側のロック操作で、押込み手段３１における凸部３３が張出部３５を押して、該ロックノブ３のロック操作時における変位をプッシュノブ２に伝え、プッシュノブ２をプッシュ操作方向に押込む。又、押圧部２４側のロック操作では、押込み手段３２における凸部３４が張出部３６を押して、該ロックノブ３のロック操作時における変位をプッシュノブ２に伝え、プッシュノブ２をプッシュ操作方向に押込む。
【００１３】
図１は、そのときの状態を前者（押圧部２３側のロック操作）の例で表しており、プッシュノブ２がプッシュ操作方向に押込まれたことで、ロックノブ３とプッシュノブ２との間の隙間が従来のＧ２からＧ１１へと大きくなる（押圧部２４側のロック操作でも同様である）。
よって、操作前にロックノブ３とプッシュノブ２との間の隙間Ｇ１を従来のもののように大きく確保することなく、ロックノブ３がプッシュノブ２に当たってしまうようになることを回避できるものであり、かくして、ロックノブ３とプッシュノブ２との間の操作前の隙間Ｇ１を小さくできるので、例えば見栄えを良くすることができる。
【００１４】
なお、上述のロックノブ３のロック操作でプッシュノブ２が押込まれるときの、該プッシュノブ２の押込み量が、プッシュスイッチ本体６の可動コンタクト１６を固定コンタクト２０に接触させるまでの量でないことは勿論である。
又、本発明は上記し且つ図面に示した実施例にのみ限定されるものではなく、要旨を逸脱しない範囲内で適宜変更して実施し得る。
【図面の簡単な説明】
【００１５】
【図１】本発明の一実施例を示す縦断側面図（作用説明図）
【図２】正面図
【図３】図２のＸ−Ｘ線に沿う縦断側面図
【図４】従来例を示す図２相当図
【図５】図３相当図（図４のＹ−Ｙ線に沿う縦断側面図）
【図６】図１相当図
【符号の説明】
【００１６】
図面中、２はプッシュノブ、３はロックノブ、６はプッシュスイッチ本体、７，８はロックスイッチ本体、３１，３２は押込み手段を示す。
【図１】
2005353456.tif 000003
【図２】
2005353456.tif 000004
【図３】
2005353456.tif 000005
【図４】
2005353456.tif 000006
【図５】
2005353456.tif 000007
【図６】
2005353456.tif 000008